(57)【要約】【課題】カスタマイズされたコンテンツを、通信ネットワークに接続された端末装置にブロードキャストする。【解決手段】システムは、ストリームの形態でブロードキャストされるコンテンツ内の選択された箇所に、選択されたグループに属するサービスアプリケーションの選択された時刻におけるトリガに対応する対話ポイントを挿入するデータコンテンツ定義手段ＭＤと、定義手段ＭＤによって供給されたコンテンツデータストリームを、第１のネットワークＲ１を介して端末装置Ｔ１〜Ｔ３にブロードキャストするコンテンツサーバＳＣと、端末装置に実装される処理手段ＭＴとを含み、端末装置はコンテンツサーバから受信されたストリームのデータを表示する表示手段ＭＡを含み、処理手段はストリームのデータを解析し、対話ポイントが検出された場合に、選択された基準に応じて対応するサービスアプリケーションを特定し、表示手段にそれを実行するよう命令する。【選択図】図１
2007073050.tif 000002
【特許請求の範囲】
【請求項１】
少なくとも１つの第１のブロードキャストネットワーク（Ｒ１）に接続された通信端末装置（Ｔｉ）にコンテンツデータストリームをブロードキャストする方法であって、
ストリームの形態でブロードキャストされるコンテンツ内の選択された箇所に、少なくとも２つの選択されたアプリケーションのグループに属するサービスアプリケーションの選択された時刻におけるトリガにそれぞれの対話ポイントが対応する、少なくとも対話ポイントを挿入すること、および
前記第１のネットワーク（Ｒ１）を介してブロードキャストされた前記ストリームが、宛先端末装置（Ｔｉ）において受信された場合に、それらのストリームが含むデータを表示し、対話ポイントを検出した場合に、少なくとも前記端末装置（Ｔｉ）のユーザおよび／または前記端末装置（Ｔｉ）に関係する少なくとも１つの選択された基準に応じて、対応するサービスアプリケーションを特定して、前記サービスアプリケーションが、前記端末装置（Ｔｉ）によって実行されるようにすることからなることを特徴とする、方法。
【請求項２】
各基準が、端末装置（Ｔｉ）ユーザプロファイル基準、端末装置（Ｔｉ）タイプ基準、端末装置（Ｔｉ）位置基準、およびリターンチャネルタイプ基準を少なくとも含むグループから選択されることを特徴とする、請求項１に記載の方法。
【請求項３】
前記サービスアプリケーションの少なくともいくつかが、対話型であることを特徴とする、請求項１に記載の方法。
【請求項４】
前記サービスアプリケーションの少なくともいくつかが、対話型であることを特徴とする、請求項２に記載の方法。
【請求項５】
前記対話型サービスアプリケーションが、少なくとも賭けアプリケーション、投票アプリケーション、購入アプリケーション、およびカスタマイズされたデータダウンロードアプリケーションを含むグループから選択されることを特徴とする、請求項３に記載の方法。
【請求項６】
端末装置（Ｔｉ）において対話型サービスアプリケーションを実行する場合、前記端末装置（Ｔｉ）と、前記第１のネットワーク（Ｒ１）の、または双方向の第２の通信ネットワーク（Ｒ２）の選択されたアドレスとの間でセットアップされたリターンチャネルを介して、前記端末装置（Ｔｉ）のユーザの制御下で、メッセージが交換される、請求項３に記載の方法。
【請求項７】
端末装置（Ｔｉ）において対話型サービスアプリケーションを実行する場合、前記端末装置（Ｔｉ）と、前記第１のネットワーク（Ｒ１）の、または双方向の第２の通信ネットワーク（Ｒ２）の選択されたアドレスとの間でセットアップされたリターンチャネルを介して、前記端末装置（Ｔｉ）のユーザの制御下で、メッセージが交換される、請求項５に記載の方法。
【請求項８】
前記カスタマイズされたデータが、少なくとも電話呼び出し音、テキストメッセージ、ビデオ、広告、ゲーム、セキュリティ情報、および一般的な情報または専門の情報を含むグループから選択されることを特徴とする、請求項６に記載の方法。
【請求項９】
前記サービスアプリケーションの少なくともいくつかが、対話型であること、および前記サービスアプリケーションの少なくとも１つが、少なくとも１つの選択された広告および／または非対話型情報を表示することに専用となっていることを特徴とする、請求項１に記載の方法。
【請求項１０】
前記サービスアプリケーションの少なくともいくつかが、対話型であること、および前記サービスアプリケーションの少なくとも１つが、少なくとも１つの選択された広告および／または非対話型情報を表示することに専用となっていることを特徴とする、請求項５に記載の方法。
【請求項１１】
ブロードキャストされるべき前記コンテンツが、対話ポイントに対応する各グループのサービスアプリケーションを表すデータを組み込み、実行されるべきサービスアプリケーションが、それぞれの選択された基準に応じて端末装置（Ｔｉ）において特定されることを特徴とする、請求項１に記載の方法。
【請求項１２】
ブロードキャストされるべき前記コンテンツが、対話ポイントに対応する各グループの各サービスアプリケーションの第１の部分を表すデータを組み込み、端末装置（Ｔｉ）において対話ポイントが検出された場合、受信されている第１のサービスアプリケーション部分を補完するそれぞれの補完的な第２の部分を獲得する要求が、第１のネットワーク（Ｒ１）または第２のネットワーク（Ｒ２）の選択されたアドレスに、第１のネットワーク（Ｒ１）または第２のネットワーク（Ｒ２）のリターンチャネルを介して送信され、次いで、それぞれの第２の部分が受信されると、端末装置（Ｔｉ）が、サービスアプリケーションを実行することが可能であるように、それぞれの選択された基準に応じて、前記サービスアプリケーションが、前記端末装置（Ｔｉ）において特定されることを特徴とする、請求項１に記載の方法。
【請求項１３】
それぞれの選択された基準が、前記端末装置（Ｔｉ）のユーザによって定義されることを特徴とする、請求項１１に記載の方法。
【請求項１４】
それぞれの選択された基準が、前記端末装置（Ｔｉ）のユーザによって定義されることを特徴とする、請求項１２に記載の方法。
【請求項１５】
それぞれの選択された基準が、ブロードキャスト事業者によって定義され、リターンチャネルを介して、対応する端末装置（Ｔｉ）に送信されることを特徴とする、請求項１１に記載の方法。
【請求項１６】
それぞれの選択された基準が、ブロードキャスト事業者によって定義され、リターンチャネルを介して、対応する端末装置（Ｔｉ）に送信されることを特徴とする、請求項１２に記載の方法。
【請求項１７】
端末装置（Ｔｉ）において対話ポイントが検出された場合、サービスアプリケーション要求が、第１のネットワーク（Ｒ１）または第２のネットワーク（Ｒ２）の選択されたアドレスに、リターンチャネルを介して送信され、次いで、その要求が受信されると、前記端末装置（Ｔｉ）が前記サービスアプリケーションを実行することが可能であるように、要求されるサービスアプリケーションが、前記要求側の端末装置（Ｔｉ）に対応し、ブロードキャスト事業者によって定義された、それぞれの選択された基準に応じて特定され、前記サービスアプリケーションが、要求側の端末装置（Ｔｉ）に送信されることを特徴とする、請求項１に記載の方法。
【請求項１８】
少なくとも第１のブロードキャストネットワーク（Ｒ１）に接続された通信端末装置（Ｔｉ）にコンテンツデータストリームをブロードキャストするためのシステムであって、
ｉ）ストリームの形態でブロードキャストされるコンテンツ内の選択された箇所に、少なくとも２つの選択されたアプリケーションのグループに属するサービスアプリケーションの選択された時刻におけるトリガにそれぞれの対話ポイントが対応する、少なくとも対話ポイントを挿入するように構成されたデータコンテンツ定義手段（ＭＤ）と、
ｉｉ）前記定義手段（ＭＤ）によって供給されたコンテンツデータストリームを、前記第１のネットワーク（Ｒ１）を介して端末装置（Ｔｉ）にブロードキャストするように構成されたコンテンツサーバ（ＳＣ）と、
ｉｉｉ）端末装置（Ｔｉ）に実装された処理手段（ＭＴ）とを少なくとも含み、端末装置（Ｔｉ）が、前記コンテンツサーバ（ＳＣ）から受信されたストリームの中に含まれるデータを表示するように構成された表示手段（ＭＡ）をさらに含み、処理手段（ＭＴ）が、前記ストリームのデータを解析する対話ポイントが検出された場合に、少なくとも前記端末装置（Ｔｉ）のユーザおよび／または前記端末装置（Ｔｉ）に関係する少なくとも１つの選択された基準に応じて、対応するサービスアプリケーションを特定し、端末装置（Ｔｉ）の表示手段（ＭＡ）に、サービスアプリケーションを実行するよう命令するように構成されていることを特徴とする、システム。
【請求項１９】
各基準が、端末装置（Ｔｉ）ユーザプロファイル基準、端末装置（Ｔｉ）タイプ基準、端末装置（Ｔｉ）位置基準、およびリターンチャネルタイプ基準を少なくとも含むグループから選択されることを特徴とする、請求項１８に記載のシステム。
【請求項２０】
前記第１のネットワーク（Ｒ１）の、または双方向の第２の通信ネットワーク（Ｒ２）のリターンチャネルを介して、選択されたアドレスでアクセス可能な制御機器であって、サービスアプリケーション要求管理手段（ＭＧ１）を含む制御機器（ＥＣ）を含むこと、および端末装置（Ｔｉ）の前記処理手段（ＭＴ）が、前記端末装置（Ｔｉ）の前記表示手段（ＭＡ）によって対話型サービスアプリケーションが実行された場合、システムの制御機器（ＥＣ）と前記端末装置（Ｔｉ）の間でセットアップされ、前記端末装置（Ｔｉ）のユーザの制御下にあるリターンチャネルを介して、前記サービスアプリケーション要求管理手段（ＭＧ１）とメッセージを交換するように構成されることを特徴とする、請求項１８に記載のシステム。
【請求項２１】
前記定義手段（ＭＤ）が、ブロードキャストされる前記コンテンツに、対話ポイントに対応する各グループのサービスアプリケーションを表すデータを組み込むように構成され、各端末装置（Ｔｉ）の前記処理手段（ＭＴ）が、それぞれの選択された基準に応じて、前記端末装置（Ｔｉ）の前記表示手段（ＭＡ）によって実行されるべきサービスアプリケーションを特定するように構成されることを特徴とする、請求項１８に記載のシステム。
【請求項２２】
前記定義手段（ＭＤ）が、ブロードキャストされる前記コンテンツに、対話ポイントに対応する各グループの各サービスアプリケーションの第１の部分を表すデータを組み込むように構成され、前記制御機器（ＥＣ）が、第１の部分を補完する第２のサービスアプリケーション部分を表すデータをオンデマンドで特定するように構成された制御手段（ＭＣ）を含み、各端末装置（Ｔｉ）の前記処理手段（ＭＴ）が、対話ポイントが検出された場合、受信されている第１のサービスアプリケーション部分を補完する、それぞれの補完的な第２の部分を獲得する要求を、前記リターンチャネルを介して前記制御機器（ＥＣ）に送信し、それぞれの第２の部分を受信すると、それぞれの選択された基準に応じて、前記サービスアプリケーションを特定し、前記端末装置（Ｔｉ）の前記表示手段（ＭＡ）に、そのサービスアプリケーションを実行するよう命令するようにするよう構成されることを特徴とする、請求項２０に記載のシステム。
【請求項２３】
各端末装置（Ｔｉ）の前記処理手段（ＭＴ）が、前記端末装置（Ｔｉ）のユーザによって定義されたそれぞれの選択された基準を格納するように構成されることを特徴とする、請求項２２に記載のシステム。
【請求項２４】
各端末装置（Ｔｉ）の前記処理手段（ＭＴ）が、ブロードキャスト事業者によって定義され、前記リターンチャネルを介して、対応する端末装置（Ｔｉ）に送信される、それぞれの選択された基準を格納するように構成されることを特徴とする、請求項２２に記載のシステム。
【請求項２５】
各端末装置（Ｔｉ）の前記処理手段（ＭＴ）が、対話ポイントが検出された場合、サービスアプリケーション要求を、前記リターンチャネルを介して前記制御機器（ＥＣ）に送信するように構成され、前記制御機器（ＥＣ）が、サービスアプリケーション要求を受信すると、要求側の端末装置（Ｔｉ）に対応する各基準定義、およびサービスアプリケーションを表すデータを特定し、次いで、特定された各基準に応じて、要求されるサービスアプリケーションを特定し、特定された前記サービスアプリケーションを表すデータを含むメッセージを生成するように構成された制御手段であって、制御機器（ＥＣ）が、前記リターンチャネルを介して、そのメッセージを要求側の端末装置（Ｔｉ）に送信するようにし、その後、前記要求側の端末装置（Ｔｉ）の表示手段（ＭＡ）が、要求側の端末装置（Ｔｉ）の処理手段（ＭＴ）の制御下において、そのサービスアプリケーションを実行するようにされた制御手段（ＭＣ）を含むことを特徴とする、請求項２０に記載のシステム。
【発明の詳細な説明】
【技術分野】
【０００１】
本発明は、固定通信ネットワークまたは移動通信ネットワークに関し、より正確には、ブロードキャストコンテンツを受信し、通信機能（例えば、ＧＳＭタイプ、ＧＰＲＳタイプ、ＵＭＴＳタイプ、またはＷｉＦｉタイプの）を組み込むように構成された通信端末装置に、そのようなネットワークを介してコンテンツをブロードキャストすることに関する。
【背景技術】
【０００２】
この文脈では、「コンテンツ」という用語は、テレビ番組もしくはビデオ番組もしくはオーディオ（ラジオ放送または音楽）番組もしくはマルチメディア番組またはゲーム、あるいはコンピュータ（またはデータ）ファイルを定義する大量のデータセットを指す。
【０００３】
可能な限り多くの顧客を満足させるため、コンテンツブロードキャスト事業者は、顧客が対話的に選択を行うことができるカスタマイズされたサービスまたはサービスのグループを顧客に提供しなければならない。現在、この目的を達するための問題解決法は、全く提案されていない。コンテンツブロードキャスト事業者は、平均プロファイルによって定義される、顧客の最大部分集合に対応すると考えられる単一の対話型サービスだけを、ブロードキャスト事業者の顧客に提供することができる。例えば、テレビ番組ブロードキャスト事業者は、ブロードキャスト事業者の番組を受信することができるすべての端末装置に、ブロードキャストに関係する同一の質問だけしか送信することができない。これは、カスタマイズされたサービスを成さない。
【特許文献１】欧州特許出願第１４５５２９４号明細書
【特許文献２】米国特許第６０２９０４５号明細書
【特許文献３】米国特許出願第２００３／０３３１５７号明細書
【発明の開示】
【発明が解決しようとする課題】
【０００４】
したがって、本発明の目的は、この状況を改善することであり、特に、例えば、ユーザ端末装置のユーザプロファイルに応じて、ユーザ端末装置に送信される対話型コンテンツのカスタマイズおよび構成を可能にすることである。
【課題を解決するための手段】
【０００５】
以上の目的で、本発明は、少なくとも１つの第１のブロードキャストネットワークに接続された通信端末装置にコンテンツデータストリームをブロードキャストする方法であって、
ストリームの形態でブロードキャストされるコンテンツ内の選択された箇所に、少なくとも２つの選択されたアプリケーションのグループに属するサービスアプリケーションの選択された時刻におけるトリガにそれぞれの対話ポイントが対応する、少なくとも対話ポイントを挿入すること、および
第１のネットワークを介してブロードキャストされたストリームが、宛先端末装置において受信された場合に、それらのストリームが含むデータを表示し、対話ポイントを検出した場合に、少なくとも端末装置のユーザおよび／または端末装置に関係する少なくとも１つの選択された基準に応じて、対応するサービスアプリケーションを特定して、サービスアプリケーションが、端末装置によって実行されるようにすることからなることを特徴とする方法を提案する。
【０００６】
本発明の方法は、以下の他の特徴を有することが可能であり、特に、別個に、または組合せで有することが可能である。すなわち、
各基準が、端末装置ユーザプロファイル基準（例えば、ユーザの嗜好、年齢、または性別）、端末装置タイプ基準、端末装置位置基準、およびリターンチャネル（またはバックチャネル）タイプ基準を少なくとも含むグループから選択されることが可能であり、
サービスアプリケーションの一部は、対話型であることが可能であり、例えば、
対話型サービスアプリケーションは、例えば、賭けアプリケーション、投票アプリケーション、購入アプリケーション、およびカスタマイズされたデータダウンロードアプリケーション（例えば、電話呼び出し音、テキストメッセージ、ビデオ、または広告）を少なくとも含むグループから選択されることが可能であり、
端末装置において対話型サービスアプリケーションを実行する場合、端末装置と、第１のネットワークの（そのネットワークが、双方向（バックチャネル）通信と同時に、（単方向の）ブロードキャストを提供する場合）、または双方向の第２の通信ネットワーク（バックチャネルを組み込む）の選択されたアドレスとの間でセットアップされたリターンチャネルを介して、端末装置のユーザの制御下で、メッセージが交換されることが可能であり、
サービスアプリケーションの少なくとも１つは、例えば、少なくとも１つの選択された広告を表示することに専用となっていることが可能であり、
ブロードキャストされるコンテンツは、対話ポイントに対応する各グループのサービスアプリケーションを表すデータを組み込むことが可能であり、このため、実行されるべきサービスアプリケーションは、それぞれの選択された基準（端末装置のユーザによって、またはブロードキャスト事業者によって定義された（ブロードキャスト事業者によって定義される場合、各基準定義は、リターンチャネルを介して、対応する端末装置に送信される））に応じて、端末装置において特定されることが可能であり、
第１の実施形態では、ブロードキャストされるコンテンツは、対話ポイントに対応する各グループの各サービスアプリケーションの第１の部分を表すデータを組み込むことが可能であり、このため、端末装置において対話ポイントが検出された場合、受信されている第１のサービスアプリケーション部分を補完するそれぞれの第２の部分を獲得する要求が、ネットワークのリターンチャネルを介して、選択されたネットワークアドレスに送信されることが可能であり、次いで、それぞれの第２の部分が受信されると、端末装置が、サービスアプリケーションを実行することが可能であるように、それぞれの選択された基準に応じて、（端末装置のユーザまたはブロードキャスト事業者によって特定される）サービスアプリケーションが、端末装置において特定されることが可能であり、
第２の実施形態では、端末装置において対話ポイントが検出された場合、サービスアプリケーション要求が、選択されたネットワークアドレスに、リターンチャネルを介して送信されることが可能であり、その場合、その要求が受信されると、端末装置がサービスアプリケーションを実行することが可能であるように、要求されるサービスアプリケーションが、要求側の端末装置に対応する（かつ、ブロードキャスト事業者によって定義される）それぞれの選択された基準に応じて、特定されることが可能であり、そのサービスアプリケーションが、要求側の端末装置に送信されることが可能である。
【０００７】
また、本発明は、少なくとも第１のブロードキャストネットワークに接続された通信端末装置にコンテンツデータストリームをブロードキャストするためのシステムであって、
ストリームの形態でブロードキャストされるコンテンツ内の選択された箇所に、少なくとも２つの選択されたアプリケーションのグループに属するサービスアプリケーションの選択された時刻におけるトリガにそれぞれの対話ポイントが対応する、少なくとも対話ポイントを挿入するように構成されたデータコンテンツ定義手段と、
定義手段によって供給されたコンテンツデータストリームを、第１のネットワークを介して端末装置にブロードキャストするように構成されたコンテンツサーバと、
通信端末装置（コンテンツサーバから受信されたストリームの中に含まれるデータを表示するように構成された表示手段をさらに含む）に実装され、ストリームのデータを解析して、対話ポイントが検出された場合に、少なくとも端末装置のユーザおよび／または端末装置に関係する少なくとも１つの選択された基準に応じて、対応するサービスアプリケーションを特定し、端末装置の表示手段に、そのサービスアプリケーションを実行するよう命令するように構成された処理手段とを少なくとも含むことを特徴とするシステムも提案する。
【０００８】
本発明のシステムは、以下の他の特徴を有することが可能であり、特に、別個に、または組合せで有することが可能である。すなわち、
各基準が、例えば、端末装置ユーザプロファイル基準、端末装置タイプ基準、および端末装置位置基準を少なくとも含み、該当する場合にはリターンチャネルタイプ基準も含むグループから選択されることが可能であり、
システムは、第１のネットワークの、または双方向の第２の通信ネットワークのリターンチャネルを介して、選択されたアドレスでアクセス可能な制御機器であって、サービスアプリケーション要求管理手段を含む制御機器を含むことが可能であり、端末装置の処理手段は、関連する表示手段によって対話型サービスアプリケーションが実行された場合、システムの制御機器と端末装置の間でセットアップされ、端末装置のユーザの制御下にあるリターンチャネルを介して、サービスアプリケーション要求管理手段とメッセージを交換するように構成され、
定義手段は、ブロードキャストされるコンテンツに、対話ポイントに対応する各グループのサービスアプリケーションを表すデータを組み込むように構成されることが可能であり、その場合、各端末装置の処理手段は、それぞれの選択された基準（例えば、端末装置ユーザによってローカルで格納され、定義された基準、あるいはブロードキャスト事業者によって定義され、リターンチャネルを介して対応する端末装置に送信された基準）に応じて、関連する表示手段によって実行されるべきサービスアプリケーションを特定するように構成されることが可能であり、
第１の実施形態では、定義手段は、ブロードキャストされるコンテンツに、対話ポイントに対応する各グループの各サービスアプリケーションの第１の部分を表すデータを組み込むように構成されることが可能であり、その場合、制御機器は、第１の部分を補完する第２のサービスアプリケーション部分を表すデータをオンデマンドで特定するように構成された制御手段を含むことが可能であり、各端末装置の処理手段は、対話ポイントが検出された場合、受信されている第１のサービスアプリケーション部分を補完する第２の部分を獲得する要求を、リターンチャネルを介して制御機器に送信し、それぞれの第２の部分を受信すると、それぞれの選択された基準（例えば、端末装置ユーザによってローカルで格納され、定義された基準、またはブロードキャスト事業者によって定義され、リターンチャネルを介して対応する端末装置に送信された基準）に応じて、サービスアプリケーションを特定し、端末装置の表示手段に、そのサービスアプリケーションを実行するよう命令するように構成されることが可能であり、
第２の実施形態では、各端末装置の処理手段は、対話ポイントが検出された場合、サービスアプリケーション要求を、リターンチャネルを介して制御機器に送信するように構成されることが可能であり、その場合、制御機器は、サービスアプリケーション要求を受信すると、要求側の端末装置に対応する各基準定義、およびサービスアプリケーションを表すデータを特定し、次いで、特定された各基準に応じて、要求されるサービスアプリケーションを特定し、特定されたサービスアプリケーションを表すデータを含むメッセージを生成するように構成された制御手段であって、制御機器がリターンチャネルを介して、そのメッセージを要求側の端末装置に送信するようにし、その後、要求側の端末装置の表示手段が、要求側の端末装置の処理手段の制御下において、そのサービスアプリケーションを実行するようにされた制御手段を含むことが可能である。
【０００９】
本発明は、排他的にではないが、少なくとも１つの双方向ネットワークに、例えば、移動（またはセルラー）ネットワークに結合され、場合により、サテライトネットワークに結合された単方向ブロードキャストネットワークに、例えば、地上（ＤＶＢ−Ｈまたはケーブル）ブロードキャストネットワークまたはサテライト（サテライトデジタルメディアブロードキャスト（ＳＤＭＢ））ブロードキャストネットワークに特によく適合されている。
【００１０】
本発明のその他の特徴および利点は、以下の詳細な説明を読み、添付の図面を考察すると、明白となろう。
【発明を実施するための最良の形態】
【００１１】
添付の図面は、本発明の説明の一部を成すと共に、必要な場合、本発明の定義に寄与する。
【００１２】
本発明の目的は、通信ネットワークが、カスタマイズされ、該当する場合には対話型であるコンテンツおよびサービスを、ブロードキャストにいずれかが専用である１つまたは２つのネットワークを介して、通信端末装置（一部の場合では、２つの異なる技術、例えば、ＤＶＢ−ＨおよびＵＭＴＳを使用する受信機を組み込む）にブロードキャストすることである。
【００１３】
端末装置が、リターンチャネルを介して、単方向ブロードキャストと双方向通信を同時に提供する固定の双方向通信ネットワーク（例えば、ケーブル（または光ファイバ）またはｘＤＳＬタイプの線などの中程度のビット伝送速度または高いビット伝送速度の双方向データ伝送線を含むネットワーク）か、または固定の単方向のブロードキャストネットワーク（例えば、ＤＶＢ−Ｈタイプの）のいずれかと接続され、同時に、双方向通信ネットワーク、例えば、移動ネットワークまたはセルラーネットワーク（好ましくは、ＵＭＴＳタイプの、またはＵＭＴＳタイプの変形例または均等物）に、該当する場合にはモデム（変調器／復調器）を介して、接続されることが可能であるという条件付きで、本発明は、任意のタイプの固定通信端末装置または移動通信端末装置（一部の場合では、２つの異なる技術、例えば、ＤＶＢ−ＨおよびＵＭＴＳを使用する受信機を組み込む）に適用される。例えば、端末装置は、移動（もしくはセルラー）電話機、パーソナルデジタルアシスタント（ＰＤＡ）、暗号化されたテレビ番組もしくはビデオ番組のデコーダ、セットトップボックスタイプのテレビ番組受信機、ビデオ番組もしくは音楽番組の受信機、固定もしくはポータブルのコンピュータ、または車両（自動車、トラック、バス、列車など）に搭載された機器であることが可能である。
【００１４】
本発明の第１の実施形態を、図１に関連して説明する。
【００１５】
この第１の実施形態では、多周波受信端末装置にコンテンツを単方向ブロードキャストすることに専用である第１のネットワークＲ１が、リターンチャネルを介した双方向通信に専用である移動またはセルラーの第２のネットワークＲ２に結合される。
【００１６】
限定的でない実施例として、この場合に考慮される通信端末装置（以降、「端末装置」と呼ぶ）は、２つの異なる技術を使用する受信機を組み込んだ移動電話機であり、１つの技術は、端末装置が、双方向コールをセットアップするために第２のネットワークＲ２に接続することを可能にするＵＭＴＳタイプであり、他方の技術は、端末装置が、第１のネットワークＲ１に接続して、無線により、例えば、オーディオ番組および／またはテレビ番組および／またはビデオ番組および／またはマルチメディア番組および／またはゲームおよび／またはデータファイルを受信することを可能にするデジタルビデオブロードキャスト−ハンドヘルド端末装置（ＤＶＢ−Ｈ）タイプである。
【００１７】
図１に示されるとおり、本発明は、コンテンツデータストリームを端末装置Ｔｉにブロードキャストすることに専用であるシステムを提案する。この実施例では、３つの移動端末装置Ｔ１ないしＴ３（ｉ＝１ないし３）だけが存在する。しかし、接尾辞ｉは、ゼロ（０）より大きい任意の値をとることが可能である。
【００１８】
このシステムは、端末装置Ｔｉに実装されたデータコンテンツ定義モジュールＭＤと、ブロードキャストコンテンツサーバＳＣと、処理モジュールＭＴとを少なくとも含む。
【００１９】
例えば、（データコンテンツ）定義モジュールＭＤは、ブロードキャストされるコンテンツが、例えば、テレビ番組、ビデオ番組、または音楽（音声）番組、あるいはコンピュータファイルが供給される第１のサブモジュールＭ１を含む。この第１のサブモジュールＭ１は、少なくとも２つの選択されたアプリケーションのグループに属するサービスアプリケーションの選択された時刻におけるトリガにそれぞれの対話ポイントが対応する、少なくとも対話ポイントからコンテンツを受け取り、それらのコンテンツを、選択された箇所に挿入する。つまり、対話ポイントは、コンテンツがストリームの形態でブロードキャストされる前にコンテンツの中に入れられ、サービスアプリケーションのグループに関連付けられる、ある種のタイムマーカである。したがって、対話ポイントは、コンテンツデータストリームの中で検出されると、サービスアプリケーションのグループを指定し、そのグループ内で、アプリケーションが、ローカルで実行されるために（以下を参照）選択されなければならない。
【００２０】
この文脈では、「サービスアプリケーション」という表現は、端末装置Ｔｉの表示モジュール（つまり、ビューア）ＭＡによって実行されると、端末装置Ｔｉのユーザにサービスを提供する対話型または非対話型の電子データ処理アプリケーションを指す。この種のアプリケーションは、例えば、実行可能スクリプトまたは実行可能プログラムの形態をとる。
【００２１】
対話型サービスアプリケーションには、賭け、投票、購入、およびカスタマイズされたデータ（例えば、電話呼び出し音、テキストメッセージ、ビデオ、広告、ゲーム、クイズ、セキュリティ情報、一般的な、もしくは専門の情報（例えば、株式市場情報、銀行情報、政府情報、または道路情報））のダウンロードを行うためのアプリケーションが含まれる。
【００２２】
非対話型サービスには、広告を表示するためのアプリケーション、およびセキュリティ情報、または一般的な、もしくは専門の情報の非対話型の供給を行うためのアプリケーションが含まれる。
【００２３】
定義モジュールＭＤは、例えば、コンピュータ（またはワークステーション）に実装されることが可能であり、コンピュータのマン／マシンインタフェースを使用して、第１のサブモジュールＭ１を制御する。
【００２４】
対話ポイントを入れる位置は、要件および／または制約に応じて、コンテンツブロードキャスト事業者のために働く技術者によって選択される。技術者は、定義モジュールＭＤの第２のサブモジュールＭ２によって、その作業を行うのを支援されることが可能である。この第２のサブモジュールＭ２は、例えば、ブロードキャストされるコンテンツのタイプに対応するサービスアプリケーションのグループを提案するように、該当する場合には事前定義されたグループを提案するように構成される。技術者は、コンテンツに対話ポイントを挿入しなければならない時点で、コンテンツのタイプを特定し、例えば、第２のサブモジュールＭ２によって提供されるリストの中で、そのコンテンツタイプに対応するサービスアプリケーションのグループを探す。また、第２のサブモジュールＭ２は、各グループに対応する対話ポイントを供給することもできる。もちろん、技術者は、技術者独自のグループ、および対応する対話ポイントを定義することができる。
【００２５】
対話ポイントが、コンテンツに挿入されると（該当する場合には対話型サービスと共に（以下を参照））、定義モジュールＭＤは、定義モジュールＭＤが、コンテンツサーバＳＣに物理的に接続されている場合、直接に（図１に示されるとおり）、あるいは、定義モジュールＭＤおよびコンテンツサーバＳＣが接続されることが可能な、例えば、ＩＰ（インターネットプロトコル）タイプの第３のネットワークを介して間接的に、それらの対話ポイントをコンテンツサーバＳＣに通信する。
【００２６】
この場合、第１のネットワークＲ１に接続されているコンテンツサーバＳＣは、好ましくは、サーバＳＣが、定義モジュールＭＤによって通信された、ブロードキャストされるべきコンテンツを格納するデータベースＢＣを含む。サーバＳＣの主な機能は、サーバＳＣと同様に第１のネットワークＲ１に接続された端末装置Ｔｉに、コンテンツデータストリームを、選択された時刻にブロードキャストすることである。それらのストリームは、第１のネットワークＲ１によって、その機能に専用である単方向伝送チャネル上でブロードキャストされる。
【００２７】
また、コンテンツサーバＳＣは、電子番組案内（ＥＰＧ）を端末装置Ｔｉに送信し、かつ／またはブロードキャストされるストリームの暗号化または符号化、およびデジタル権利（著作権および法的コンテンツ保護）のすべての態様を管理することもできる。
【００２８】
各処理モジュールＭＴは、表示モジュール（つまり、ビューア）ＭＡが実装された端末装置Ｔｉの表示モジュールＭＡに結合される。表示モジュールＭＡは、端末装置Ｔｉのスクリーン上に、モジュールＭＡが、第１のネットワークＲ１から受け取る（この場合）コンテンツデータストリームを表示する。また、モジュールＭＡは、以上に定義されたとおり、サービスアプリケーションを実行することもできる。すなわち、サービスアプリケーションをアクティブにし、サービスアプリケーションがモジュールＭＡに通信するデータをスクリーン上に表示するように実行することもできる。
【００２９】
各処理モジュールＭＴは、それぞれの挿入された対話ポイントを検出するために、モジュールＭＴが結合されている表示モジュールＭＡによって受け取られたコンテンツストリームの中に含まれるデータを解析する。さらに、処理モジュールＭＴは、対話ポイントを検出するたびに、その対話ポイントに対応するサービスアプリケーションを、端末装置Ｔｉのユーザおよび／または端末装置Ｔｉ（タイプおよび／または位置）、および／または対話型サービスの場合では、端末装置Ｔｉによって使用されるリターンチャネルに少なくとも関係する、少なくとも１つの選択された基準に応じて特定する。
【００３０】
使用されることが可能な基準には、以下が含まれることが可能である。すなわち、
端末装置Ｔｉユーザプロファイル基準。プロファイルは、単一のユーザ、またはユーザのグループを対象として含むことが可能である。例えば、プロファイルは、１つまたは複数の特性、例えば、年齢、性別、番組タイプ選好、嗜好、関心分野、余暇活動、番組視聴時間帯、ならびに概して、ユーザをカスタマイズするのに使用されることが可能なものであれば何であれ、対象として含むことが可能である。
【００３１】
端末装置Ｔｉタイプ基準。この場合、端末装置Ｔｉタイプとは、端末装置Ｔｉのオペレーティングシステム（ＯＳ）および／またはパフォーマンス（または性能）および／またはサポートされるコーデック、および／またはスクリーンサイズおよび／または使用される機能、および／またはＩＤを指す。
【００３２】
端末装置Ｔｉ位置基準。この場合、端末装置Ｔｉの位置とは、端末装置Ｔｉの地理的位置（緯度、経度、ならびに該当する場合には高度）、または端末装置Ｔｉが属する地理的区域を指す。位置は、任意の手段によって、特に、移動端末装置Ｔｉに実装されたＧＰＳ機器によって、あるいは移動端末装置Ｔｉが接続されている知られているＧＳＭセルまたはＧＰＲＳセルから、または移動端末装置Ｔｉによって受信されるコンテンツをブロードキャストしているＤＶＢ−Ｈ送信機から獲得されることが可能である。
【００３３】
リターンチャネルタイプ基準（対話型サービスの場合に）。この場合、リターンチャネルタイプとは、例えば、サービス品質（ＱｏＳ）の点における、チャネルのパフォーマンス、および／またはチャネルの技術的特性（例えば、ＵＭＴＳまたはＧＰＲＳ）を主に指す。
【００３４】
１つまたは複数の基準が、端末装置Ｔｉが実行しなければならないサービスアプリケーションを特定するのに使用されることが可能である。
【００３５】
また、処理モジュールＭＴは、モジュールＭＴが特定した各サービスアプリケーションを実行するよう、端末装置Ｔｉの表示モジュールＭＡに命令する。
【００３６】
対話型サービスアプリケーションが存在する場合、本発明のブロードキャストシステムは、選択されたアドレスにおいて、第２の（通信）ネットワークＲ２を介して端末装置Ｔｉがアクセスすることが可能な制御機器ＥＣも含まなければならない。
【００３７】
その制御機器ＥＣは、好ましくは、コンテンツブロードキャスト事業者の管理ネットワークを介して、または、例えばＩＰタイプの、第３のネットワークを介してコンテンツサーバＳＣに結合される。
【００３８】
制御機器ＥＣは、端末装置Ｔｉの表示モジュールＭＡが、対話型サービスアプリケーションを実行する際に、リターンチャネル（またはバックチャネル）上で端末装置Ｔｉによって送信される各メッセージまたは各要求を解析するための、およびそのメッセージまたは要求の内容からもたらされる動作を実行するためのサービスアプリケーション要求管理モジュールＭＧ１を含む。例えば、サービスアプリケーションが、通信販売アプリケーションである場合、サービスアプリケーション要求管理モジュールＭＧ１は、購入を行う端末装置Ｔｉと、購入された物品を販売し、または料金請求を制御し、第２のネットワークＲ２を介してアクセス可能であるサーバＳＦとの間におけるインタフェースを提供する。サービスアプリケーションが、投票アプリケーションである場合、サービスアプリケーション要求管理モジュールＭＧ１は、例えば、投票を集計する。サービスアプリケーションが、賭けアプリケーションである場合、サービスアプリケーション要求管理モジュールＭＧ１は、賭けの結果に関して経理サービスを提供するか、または賭けを行う端末装置Ｔｉと、賭けを制御するサーバ（例えば、競馬会社のサーバ）の間におけるインタフェースを提供する。
【００３９】
対話型アプリケーションの文脈では、端末装置Ｔｉによって送信される一部の要求またはメッセージは、引き替えに、当該の端末装置Ｔｉに対する、サービスアプリケーション管理モジュールＭＧ１による、１つまたは複数のメッセージ（または要求）の伝送を生じさせる可能性があることに留意することが重要である。
【００４０】
もちろん、リターンチャネルを介して対話型サービスアプリケーションを実行する文脈では、端末装置Ｔｉと制御機器ＥＣの間におけるメッセージ（または要求）の交換は、端末装置Ｔｉのユーザの制御下で行われる。より正確には、その交換は、例えば、ユーザのスクリーン上に表示された問い合わせに応答するように、ユーザの端末装置Ｔｉを使用してユーザによって行われる、制御機器ＥＣへの要求（またはメッセージ）の送信をトリガするアクションである。
【００４１】
ローカルで（端末装置Ｔｉにおいて）実行されるサービスアプリケーションを特定するいくつかのやり方が、想定されることが可能である。
【００４２】
第１のやり方は、定義モジュールＭＤ、より正確には、モジュールＭＤの第１のサブモジュールＭ１を、モジュールＭＤまたはサブモジュールＭ１が、対話ポイントに対応する各グループのサービスアプリケーションを表すデータを、コンテンツに組み込むように、構成することである。例えば、そのアプリケーションデータは、関連する対話ポイントの直後に入れられることが可能である。しかし、これは、義務的ではない。
【００４３】
この場合、定義モジュールＭＤは、すべてのアプリケーションデータが格納されるメモリを含むか、またはすべてのアプリケーションデータが格納される、第２のネットワークＲ２を介してアクセス可能な機器にアクセスすることができなければならない。
【００４４】
また、この場合、各端末装置Ｔｉの処理モジュールＭＴも、選択された各基準に応じて、関連する表示モジュールによって実行されなければならないサービスアプリケーションをローカルで特定するように構成されなければならない。その目的で、モジュールＭＴは、一方で、関連する表示モジュールＭＡによって受け取られたコンテンツデータストリームからアプリケーションデータを抽出することができなければならず、他方で、ローカルで実行されなければならないアプリケーションを表すデータを選択するために、データに適用されなければならない１つまたは複数の基準を利用できなければならない。
【００４５】
ローカルで適用されるべき各基準は、端末装置Ｔｉのユーザによってローカルで定義されても、ブロードキャスト事業者によってリモートで定義されてもよい。
【００４６】
ユーザによって定義される場合では、処理モジュールＭＴは、端末装置Ｔｉのユーザに、例えば、適用されるべき各基準をユーザが選択することができるリストを提供することが可能であり、ブロードキャスト事業者によって定義される場合では、適用されるべき基準の各定義が、リターンチャネル（第２のネットワークＲ２の）を介して制御機器ＥＣによって当該の端末装置Ｔｉに、ストリームを受信する前に（これは、伝送遅延の見地から好ましい）、またはアプリケーションデータを受信した後、処理モジュールＭＴの要求時に、送信される。
【００４７】
適用される基準は、例えば、番組タイプおよび／または時間帯および／または、番組を観ることを所望する個人の性別および／または嗜好および／または関心分野および／または余暇活動に応じて、異なる可能性があることに留意することが重要である。この場合、複数の基準グループが、端末装置Ｔｉの中（より正確には、処理モジュールＭＴの中）に格納されることが可能であり、その場合、ユーザは、ユーザの要件に応じて、それらのグループのいずれかを選択する。あるいは制御機器ＥＣの中に格納されることが可能であり、その場合、適用されるべきグループを選択するのは、コンテンツブロードキャスト事業者である。
【００４８】
処理モジュールＭＴは、サービスアプリケーションを特定すると、端末装置Ｔｉの表示モジュールＭＡが、そのサービスアプリケーションを実行するように、モジュールＭＡにサービスアプリケーションを通信する。
【００４９】
第２のやり方は、処理モジュールＭＴが、対話ポイントを検出するたびに、そのモジュールＭＴが、検出された対話ポイントの識別子を好ましくは含むサービスアプリケーション要求を、制御機器ＥＣに（端末装置Ｔｉ、ならびに第２のネットワークＲ２のリターンチャネルを介して）送信するように、各処理モジュールＭＴを構成することである。
【００５０】
例えば、この場合における制御機器ＥＣは、端末装置Ｔｉから（第２のネットワークＲ２のリターンチャネルを介して）サービスアプリケーション要求を受け取ると、要求側の端末装置Ｔｉ向けに選択されたサービスアプリケーションを表すデータを選択するために、要求側の端末装置Ｔｉ（および端末装置Ｔｉのユーザ）に対応する各基準定義、ならびに、それぞれの選択された基準が適用されるサービスアプリケーションを表す（アプリケーション）データを特定する制御モジュールＭＣを含む。
【００５１】
これを可能にするため、一方で、制御機器ＥＣは、例えば、対話ポイントに対応する関係でサービスアプリケーションのグループ、および基準のグループが格納されている生成モジュールＭＧ２を含むことができ（図示されるとおり）、他方で、第１のメモリ手段ＢＰが、ユーザプロファイルおよび／または顧客端末装置Ｔｉのタイプを格納するために備えられなければならず、かつ／または第２のメモリ手段ＢＬが、端末装置Ｔｉの位置を格納するために備えられなければならない。
【００５２】
サービスアプリケーションのグループは、例えば、コンテンツタイプに応じて、生成モジュールＭＧ２をインタフェースとして使用する、ブロードキャスト事業者の技術者によって定義される。
【００５３】
第１のメモリ手段ＢＰおよび／または第２のメモリ手段ＢＬは、例えば、制御機器ＥＣの一部を形成するか、またはコンテンツブロードキャスト事業者に属することが可能であり、あるいは、図１に示された実施例の場合のように、メモリ手段ＢＰおよび／またはＢＬが接続された第２のネットワークＲ２を介して、制御機器ＥＣがアクセスできることが可能である。第２の実例では、制御機器ＥＣは、第１のメモリ手段ＢＰおよび／または第２のメモリ手段ＢＬに、メモリ手段ＢＰおよび／またはＢＬが接続された、例えば、ＩＰタイプの、第２のネットワークＲ２および第３のネットワークを介してアクセスする。第３の実例では、メモリ手段ＢＰおよび／またはＢＬは、例えば、第１のネットワークＲ１を使用するコンテンツブロードキャスト事業者と必ずしも同一ではない、第２のネットワークＲ２の運用者のメモリ手段を指すことが可能である。例えば、移動タイプの第２のネットワークＲ２において、一方で、第２のロケーション手段が、コアネットワークの一部であるホームロケーションレジスタ（ＨＬＲ）として知られるロケーションデータベースであることが可能であり、他方で、第１のメモリ手段ＢＰが、３Ｇネットワークの場合におけるＨＬＲであるか、またはＩＭＳネットワークの場合におけるホーム加入者サーバ（ＨＳＳ）であることが可能である。
【００５４】
また、遠隔通信事業者（第２のネットワークＲ２）および／またはブロードキャスト事業者（第１のネットワークＲ１）によって供給される情報、および／またはユーザの挙動を評価すること（例えば、ユーザの要求、投票などを解析することにより）に基づき、ユーザプロファイルを集約すること、合成すること、および更新することによって情報データベースを構築することも、想定されることが可能である。
【００５５】
制御モジュールＭＣは、要求側の端末装置Ｔｉからサービスアプリケーション要求を受け取ると、生成モジュールＭＧ２から、要求の対象であるアプリケーションポイントに対応するサービスアプリケーションのグループ、および基準のグループをまず特定する。次いで、このように特定され、その基準を含むグループに応じて、モジュールＭＣは、第１のメモリ手段ＢＰおよび／または第２のメモリ手段ＢＬにアクセスして、端末装置Ｔｉに対応するプロファイルデータおよび／またはタイプデータおよび／または位置（および／またはネットワークタイプ）データを特定する。例えば、モジュールＭＣは、端末装置Ｔｉの位置と、端末装置Ｔｉのユーザのプロファイルを共に特定する。
【００５６】
次に、制御モジュールＭＣは、このように特定されたサービスアプリケーションのグループに、関連する基準グループを構成する、特定されたプロファイルデータおよび／またはタイプデータおよび／または位置データおよび／またはネットワークタイプデータを適用する。これにより、モジュールＭＣが、要求側の端末装置Ｔｉ向けにカスタマイズされたサービスアプリケーションを特定することが可能になる。モジュールＭＣは、次に、特定されたサービスアプリケーションを表すデータを含むメッセージを生成し、そのメッセージを制御機器ＥＣに通信して、機器ＥＣが、リターンチャネル（第２のネットワークＲ２の）を介してそのメッセージを要求側の端末装置Ｔｉに転送するようにする。
【００５７】
要求側端末装置Ｔｉは、そのメッセージを受信すると、そのメッセージを端末装置Ｔｉの表示モジュールＭＡに通信して、モジュールＭＡが、処理モジュールＭＴの制御下で、そのメッセージが含むデータによって定義されるサービスアプリケーションを実行するようにする。
【００５８】
第３のやり方は、第１のやり方と第２のやり方の組合せである。第１のやり方と同様に、定義モジュールＭＤが、より正確には、モジュールＭＤの第１のサブモジュールＭ１が、ブロードキャストされるべきコンテンツに、対話ポイントに対応する各グループの各サービスアプリケーションの第１の部分を表すデータを組み込む。また、第２のやり方と同様に、制御機器ＥＣは、生成モジュールＭＧ２を含むことが可能であるが、この場合、定義モジュールＭＤの中に格納されている第１の部分を補完し、好ましくは、対話ポイントに対応する関係にある第２のサービスアプリケーション部分のグループだけを格納するモジュールＭＧ２を含むことが可能である。
【００５９】
処理モジュールＭＴは、端末装置Ｔｉの表示モジュールＭＡによって受け取られたストリームの中で対話ポイントを検出するたびに、第２のサービスアプリケーション部分を獲得する要求を、制御機器ＥＣに（端末装置Ｔｉ、ならびに第２のネットワークＲ２のリターンチャネルを介して）送信し、その要求は、好ましくは、検出された対話ポイントを含む。
【００６０】
制御機器ＥＣは、要求側の端末装置Ｔｉから（リターンチャネル上で）、その種の要求を受信すると、その要求を、制御モジュールＭＣに転送し、モジュールＭＣの生成モジュールＭＧ２が、受信された要求によって指定される対話ポイントに関連するグループのサービスアプリケーションの第２の部分を表すデータを特定する。
【００６１】
次に、制御モジュールＭＣが、サービスアプリケーションの第２の部分を表す、特定されたデータを含むメッセージを生成し、そのメッセージを、制御機器ＥＣに通信して、機器ＥＣが、そのメッセージを、リターンチャネル（第２のネットワークＲ２の）を介して要求側の端末装置Ｔｉに転送するようにする。
【００６２】
要求側の端末装置Ｔｉは、そのメッセージを受信すると、そのメッセージを端末装置Ｔｉの処理モジュールＭＴに通信して、モジュールＭＴが、それぞれの選択された基準に応じて、関連する表示モジュールＭＡによって実行されなければならないサービスアプリケーションをローカルで特定するようにする。これを行うため、モジュールＭＴは、コンテンツデータストリームから抽出されたサービスアプリケーションの第１の部分、ならびに制御機器ＥＣによって供給された、同一のサービスアプリケーションの第２の部分からのデータをまず使用して、検出された対話ポイントに対応するサービスアプリケーションのグループを再構成するようにする。次に、モジュールＭＴは、それぞれの選択された基準をアプリケーションデータに適用して、表示モジュールＭＡによってローカルで実行されなければならないアプリケーションを表すデータを選択するようにする。
【００６３】
第１のオプションの場合と同様に、ローカルで適用されるべき各基準は、端末装置Ｔｉのユーザによってローカルで定義されても、ブロードキャスト事業者によってリモートで定義されてもよい（さらに、制御機器ＥＣによって、第２のネットワークＲ２のリターンチャネルを介して送信される）。
【００６４】
処理モジュールＭＴは、サービスアプリケーションを特定すると、そのサービスアプリケーションを、端末装置Ｔｉの表示モジュールＭＡに通信して、モジュールＭＡが、そのサービスアプリケーションを実行するようにする。
【００６５】
第２のネットワークＲ２のリターンチャネル上で、端末装置Ｔｉと制御機器ＥＣの間で交換されるメッセージおよび要求のタイプは、端末装置Ｔｉのタイプに依存する。このため、メッセージおよび要求は、ＳＭＳ（ショートメッセージサービス）、ＭＭＳ（マルチメディアメッセージサービス）、ＷＡＰ（無線アプリケーションプロトコル）、または電子メール（ｅ−ｍａｉｌ）メッセージもしくはＩＰ要求、あるいは専用サーバを介した独自フォーマットの要求、またはＨＴＭＬページの形態をとることが可能である。
【００６６】
本発明の第２の実施形態を、図２に関連して説明する。
【００６７】
この第２の実施形態では、単一の（第１の）ネットワークＲ１が、端末装置へのコンテンツの単方向ブロードキャストを提供し、リターンチャネル上で、ネットワークＲ１と前記端末装置の間における双方向通信を提供する。この種のネットワークＲ１は、例えば、中程度のビット伝送速度、もしくは高いビット伝送速度の伝送線（ブロードキャスト用の）と、低いビット伝送速度の伝送線（通信用の）とを含む、固定のケーブルネットワーク、またはｘＤＳＬネットワークである。
【００６８】
このブロードキャストシステムの動作モードは、図１に関連して前述した動作モードと多くの類似点を有する。主な違いは、前述した３つのオプション（この場合にも適用される）のいずれかに関わる、すべてのモジュール（ＭＤ）および機器（ＳＣ、ＥＣ、ＢＰ、ＢＬ、ＳＦ、Ｔｉ）が、この場合は、単一のネットワークＲ１（単方向ブロードキャストに専用であるネットワークＲ１の部分だけでなく、全体として見られた）に結合されることである。さらに、端末装置Ｔｉは、この場合には、ＷｉＦｉネットワーク、ＷｉＭＡＸネットワーク、および類似のネットワークの場合を除き、固定の端末装置である。また、単一のネットワークＲ１の場合では、ブロードキャストは、常に、単方向伝送チャネル上で行われるのに対して、通信は、リターンチャネルを定義する通信チャネルを介して行われる。さらに、特に、端末装置の位置を特定するために、ブロードキャストチャネルとリターンチャネルを互いに関係付けることが必要である可能性がある。
【００６９】
以下は、３つの例示的な、限定的ではない実施例である。
【００７０】
第１の実施例は、以下の２つのユーザグループを定義することに存する。すなわち、ブロードキャスト番組の中で、所与の時刻に投票アプリケーションが提供される第１のグループ、および同一のブロードキャスト番組の中で、同一の所与の時刻に（場合により、有料の）電話呼び出し音ダウンロードアプリケーションが提供される第２のグループである。
【００７１】
第２の実施例は、以下の２つのユーザグループを定義することに存する。すなわち、ブロードキャスト番組の中で、所与の時刻に第１の広告グループを表示するアプリケーションが提供される第１の（例えば、男性の）グループ、および同一のブロードキャスト番組の中で、同一の所与の時刻に第２の広告グループ（少なくとも部分的に、第１のグループとは異なる）を表示するアプリケーションが提供される第２の（例えば、女性の）グループである。
【００７２】
第３の実施例は、以下の２つのユーザグループを定義することに存する。すなわち、ブロードキャスト番組の中で、所与の時刻に標準の投票（質問／応答）アプリケーションが提供される第１のグループ（例えば、第１の地理的区域内の）、および同一のブロードキャスト番組の中で、同一の所与の時刻に、ただし、カスタマイズされた情報の１つまたは複数の項目、例えば、各ユーザの名前、各ユーザの地理的位置、または各ユーザの年齢（好ましくは、ユーザの誕生日の）を専用のフィールドの中に組み込んだ質問を有する、同一の投票アプリケーションが提供される第２のグループ（例えば、第２の地理的区域内の）である。
【００７３】
本発明のブロードキャストシステム、特に、システムの定義モジュールＭＤ、およびシステムの処理モジュールＭＴ、加えて、該当する場合にはシステムの制御モジュールＭＣ、サービスアプリケーション要求管理モジュールＭＧ１、および生成モジュールＭＧ２は、電子回路、ソフトウェア（または電子データ処理）モジュール、または回路とソフトウェアの組合せの形態をとることが可能である。
【００７４】
処理モジュールＭＴは、完全にソフトウェアモジュールの形態で実施される場合、端末装置の製造中に、または端末装置の最終受け渡し試験中に実装されること、または端末装置の親ネットワークを介して端末装置にダウンロードされることが可能である。
【００７５】
本発明は、例として前述したブロードキャストシステムおよびブロードキャスト方法の実施形態に限定されず、特許請求の範囲に含まれる、当業者が想定することが可能なすべての変形例を包含する。
【図面の簡単な説明】
【００７６】
【図１】双方向通信ネットワークに結合されたブロードキャストネットワーク、および本発明のデータブロードキャストシステムの一実施形態を示す図である。
【図２】双方向通信ネットワークの一部、および本発明のデータブロードキャストシステムの一実施形態を示す図である。
【符号の説明】
【００７７】
ＢＣ  データベース
ＢＬ、ＢＰ  メモリ手段
ＥＣ  制御機器
Ｒ１、Ｒ２  通信ネットワーク
Ｍ１、Ｍ２  サブモジュール
ＭＡ  表示手段
ＭＤ  コンテンツ定義手段
ＭＴ  処理手段
ＭＧ１、ＭＧ２  サービスアプリケーション要求管理手段
ＳＣ  コンテンツサーバ
Ｔ１、Ｔ２、Ｔ３  通信端末装置
【図１】
2007073050.tif 000003
【図２】
2007073050.tif 000004
【外国語明細書】
2007073050.tif 000005
2007073050.tif 000006
2007073050.tif 000007
2007073050.tif 000008
2007073050.tif 000009
2007073050.tif 000010
2007073050.tif 000011
2007073050.tif 000012
2007073050.tif 000013
2007073050.tif 000014
2007073050.tif 000015
2007073050.tif 000016
2007073050.tif 000017
2007073050.tif 000018
2007073050.tif 000019
2007073050.tif 000020
2007073050.tif 000021
2007073050.tif 000022
2007073050.tif 000023
2007073050.tif 000024
2007073050.tif 000025
2007073050.tif 000026
2007073050.tif 000027
2007073050.tif 000028